(57)【要約】【課題】パネルの種類に係わらず如何なるタイプの欄干へスカートガードを挿入することのできるエスカレータスカートガード挿入工具を提供する。【解決手段】エスカレータスカートガード挿入工具は、エスカレータスカートガードをエスカレータ本体のスカート受け金具に挿入するために用いるエスカレータスカートガード挿入工具であって、エスカレータ本体に係止される係止部材と、係止部材で支持されるレバーとを備え、係止部材は、レバーを支持する支持部と、エスカレータ本体に係止される係止部とを有し、レバーは、一端に設けられ、スカートガードに当接して挿入するための力を作用させる作用部と、中間部に設けられ、係止部材に支持される支点部と、他端部に設けられ、外力を加えるための力点部とを有する。【選択図】        図１
2004307161.tif 000002
【特許請求の範囲】
【請求項１】
エスカレータスカートガードをエスカレータ本体のスカート受け金具に挿入するために用いるエスカレータスカートガード挿入工具であって、
エスカレータ本体に係止される係止部材と、
上記係止部材で支持されるレバーとを備え、
上記係止部材は、上記レバーを支持する支持部と、上記エスカレータ本体に係止される係止部とを有し、
上記レバーは、一端に設けられ、上記スカートガードに当接して挿入するための力を作用させる作用部と、中間部に設けられ、上記係止部材に支持される支点部と、他端部に設けられ、外力を加えるための力点部とを有することを特徴とするエスカレータスカートガード挿入工具。
【請求項２】
上記作用部は、上記スカートガードとの当接外れを防止する段部を有することを特徴とする請求項１に記載のエスカレータスカートガード挿入工具。
【請求項３】
上記支点部は、上記レバーの先端部から中間部に渡って上記レバーの長手方向に延び、上記係止部材を受け入れるスリットを有することを特徴とする請求項１または２に記載のエスカレータスカートガード挿入工具。
【請求項４】
上記支持部は、上記係止部材の長手方向に互いに離間して固着された複数の突起を有することを特徴とする請求項１乃至３のいずれか一項に記載のエスカレータスカートガード挿入工具。
【請求項５】
上記支持部は、上記係止部材に螺旋切りされた雄ねじと、上記雄ねじに螺合するナットとを有することを特徴とする請求項１乃至３のいずれか一項に記載のエスカレータスカートガード挿入工具。
【請求項６】
上記係止部は、保護膜で被覆されたことを特徴とする請求項１乃至５のいずれか一項に記載のエスカレータスカートガード挿入工具。
【請求項７】
上記係止部材は、一端に曲げを有した係止部と、上記曲げ方向を示す目印部とを有していることを特徴とする請求項１乃至６のいずれか一項に記載のエスカレータスカートガード挿入工具。
【発明の詳細な説明】
【０００１】
【発明の属する技術分野】
この発明は、エスカレータのスカートガードをスカート受け金具に取り付ける際に用いられるエスカレータスカートガード挿入工具に関する。
【０００２】
【従来の技術】
従来のスカートガード挿入工具は、棒状の本体と、本体の一端から横方向に取り付けられた掛け金具と、本体に掛け金具と同一方向に取り付けられた押さえ金具とを備え、掛け金具の押さえ金具に対向する部分にスカート受け金具に係合する切り欠き部が設けられ、押さえ金具の欠け金具に対向する部分にスカートガードに係合する切り欠き部が形成され、切り欠き部をスカート受け金具及びスカートガードの上端部に係合させることによりテコを構成し、本体の端部を引き下げることによりスカートガードをスカート受け金具に挿入する（例えば、特許文献１参照。）。
【０００３】
【特許文献１】
特開平６−４０６８８号公報
【０００４】
【発明が解決しようとする課題】
従来のスカートガード挿入工具は、テコを構成するために、支点としてその切り欠き部をスカート受け金具に係合している。透明タイプのパネルを取り付けられた欄干では、インナーデッキを取り外すとスカート受け金具の裏側が露出するので、そのスカート受け金具の裏側と挿入工具の切り欠け部とを係合させることができる。しかし、不透明タイプのパネルを取り付けられた欄干では、パネルはスカート受け金具に直接固定されているので、飾り金具を取り外してもスカート受け金具の裏側は露出しない。そのため、従来のスカートガード挿入工具は、欄干に取り付けられたパネルの取付構造によっては使用できないという問題があった。
【０００５】
この発明の目的は、パネルの取付構造に係わらず如何なるタイプの欄干であっても、スカートガードを挿入することのできるエスカレータスカートガード挿入工具を提供することである。
【０００６】
【課題を解決するための手段】
この発明に係わるエスカレータスカートガード挿入工具は、エスカレータスカートガードをエスカレータ本体のスカート受け金具に挿入するために用いるエスカレータスカートガード挿入工具であって、エスカレータ本体に係止される係止部材と、係止部材で支持されるレバーとを備え、係止部材は、レバーを支持する支持部と、エスカレータ本体に係止される係止部とを有し、レバーは、一端に設けられ、スカートガードに当接して挿入するための力を作用させる作用部と、中間部に設けられ、係止部材に支持される支点部と、他端部に設けられ、外力を加えるための力点部とを有する。
【０００７】
【発明の実施の形態】
実施の形態１．
図１は、この発明の実施の形態１のエスカレータスカートガード挿入工具（以下、挿入工具と称す。）の側面図および平面図である。図１（ａ）は、挿入工具のレバーの側面図である。図１（ｂ）は、挿入工具のレバーの平面図である。図１（ｃ）は、この発明の実施の形態１の挿入工具の係止部材の側面図である。図２は、図１の挿入工具を用いてエスカレータスカートガードをスカートガード受け金具に取り付ける様子を示す説明図である。
【０００８】
挿入工具は、鉄製の棒状のレバー１と、鉄製の棒状の係止部材２とを有している。
レバー１は、棒の先端部１ａに、スカートガード上端側面と係合する長手方向に突き出た平面状の段部３を有した作用部４と、長手方向に棒の先端部１ａから中間部１ｂに渡って、段部３と直交したスリット５を有した支点部６と、他端部１ｃに、くさび上に加工され、外力を加えるための力点部７とを有している。段部３は、スカートガードの上側端面と係合して、スカートガードが欄干または踏段方向にずれてレバーから外れることを防止している。
係止部材２は、棒の一方の端部２ａをしの字状に折り曲げ、エスカレータの本体（例えば、踏段裏面、追従レールまたはステップ軸など欄干に挟まれた部分に配置されているものをいう。）に引っ掛けて係止部材２の上方への移動を止めるフックである係止部８と、棒の中間部２ｂに、レバー１のスリット５と係合してレバー１の支点部６を支持する支持部９と、棒の他端部２ｃに、係止部８の曲げ方向を示すように曲げと同一平面上に半周位巻回した目印部１０とを有している。係止部８は、係止部材２の端部２ａから見て屈曲された屈曲箇所８ａと、その屈曲箇所８ａに連なる直線箇所８ｂとを有している。支持部９には、３個のナットなどの突起１１が離間して溶接などにより固着されている。係止部８は、ポリエチレンのディップ塗装膜などからなる保護膜１２で被覆されている。
【０００９】
スカート受け金具１３は、図２に示すように上部受け金具１４および下部受け金具１５を有している。上部受け金具１４は、エスカレータの移動方向に延び、下部トラスト１６に固定され、その断面形状はＬ字を１８０度回転した形状であり、上面部１４ａと踏段１７に対向した側面部１４ｂとを有している。側面部１４ｂは、スカートガード１８の上端部１８ａの穴１９と位置合わせされるねじ穴２０をエスカレータの移動方向に等間隔に有している。上面部１４ａに不透明なパネル２１がネジ２２で固定されている。一方、下部受け金具１５は、上部受け金具１４と同様に、エスカレータの移動方向に延び、下部トラスト１６に固定され、その断面形状は逆Ｌ字状であり、下面部１５ａと踏段１７に対向した立ち上がり部１５ｂとを有している。
【００１０】
スカートガード１８は、エスカレータの移動方向に沿った下縁部１８ｂに、下方に開口を有して固定され、下部受け金具１５の立ち上がり部１５ｂに嵌り合う板ばね２３と、上縁部１８ａに、ねじ穴２０に対応する穴１９とを有している。
【００１１】
次に、この挿入工具を用いてスカートガード１８をスカート受け金具１３へ挿入し、固定する手順について説明する。
スカートガード１８は、まず上部受け金具１４の側面部１４ｂおよび下部受け金具１５の立ち上がり部１５ｂにその側面を突き当てながら踏段１７との隙間に落とし込む。スカートガード１７の降下は、板ばね２３が下部受け金具１５の立ち上がり部１５ｂに当たって止まる。このとき、板ばね２３と立ち上がり部１５ｂとは軽く嵌り合い、さらにスカートガード１８の上側端面１８ｃから下方に力を加えると、さらに強く嵌り合せることができる。次に、挿入工具の係止部材２の係止部８をスカートガード１８と踏段１７との間の隙間に、係止部８の曲げを含む面がスカートガード１６と平行になるように挿入する。隙間は最大でも１０ｍｍ位であるので、スカートガード１６に対して垂直には挿入できない。また、係止部８の曲げを小さくしておくと、踏段裏面１５ａにしっかりと係止することができない。次に、係止部８の曲げをスカートガード１６に垂直になるように、目印部１０を目印にして係止部材２を水平方向に９０度回転し、それから係止部８の屈曲箇所８ａを踏段裏面１５ａに突き当たるまで引き上げる。次に、係止部材２のナット２６の下側面にレバ−１の上側面が当接するように配置して、スカートガード１８側から踏段１７側に向かって支持部９をスリット５へ押し込む。次に、レバー１の段部３をスカートガード１８の上側端面１８ｃに係合させる。
【００１２】
このように挿入工具の係止部材２の係止部８は、踏段裏面１７ａで上方への移動が制約される。レバー１は、係止部材２のナット２６で支持された支点、スカートガード１８と係合している作用部４および力点部７を力点としたテコを構成している。力点部７を上方に押し上げると、スカートガード１８は下方に押し下げられ、下部受け金具１５の立ち上がり部１５ｂは板ばね２３の隙間へ強く押し込まれる。この際、スカートガード１８の穴１９と上部受け金具１４のねじ穴２０の位置合わせしながらスカートガード１８を押し下げる。スカートガード１８は、エスカレータの移動方向に１ｍ以上の幅を有しているので、数カ所で上述の挿入作業を行って穴１９とねじ穴２０との位置を合わせ、ねじ２２で固定してスカートガード１８のスカート受け金具１２への挿入、固定作業は完了する。
【００１３】
次に、複数のナット２６の使用手順について説明する。挿入作業開始のとき、スカートガードの上側端面１８ｃの位置は、一番上側のナット２６とほぼ同じ高さであるので、一番上に位置するナット２６の下側面にレバ−１の上側面が当接するように配置して、スカートガード１８側から踏段１７側に向かって支持部９をスリット５へ押し込む。しかし、スカートガード１８を押し下げていくと、スカートガード１８の上側端面１８ｃの位置は一番上に位置するナット２６よりかなり低くなり、係止部材２とレバー１とは平行に近くなる。そこでレバー１をスリット５から引き抜き、中間に位置するナット２６の下側面にレバ−１の上側面が当接するように配置して、スカートガード１８側から踏段１７側に向かって支持部９をスリット５へ押し込む。さらに、スカートガード１８を押し下げたとき、さらに下に位置しているナット２６でレバー１を支持するようにする。このように異なった高さのナットを順次レバー１の支持部として使用すると、係止部材２とレバー１が垂直に近くなり、押し上げ易くなる。
【００１４】
もし、スカートガード１８を押し下げ過ぎたときは、このレバー１の把握部７をスカートガード１８と踏段１７との隙間からスカートガード１８の下側端面１８ｄに当てて、踏段１７の角部で支持された支点として、スカートガード１８を少し持ち上げることができる。
【００１５】
また、旧いスカートガード１８を取り外し、新しいスカートガード１８を付け替えるとき、レバー１の把握部７をスカートガード１８と踏段１７との隙間からスカートガード１８の下側端面１８ｄに当てて、踏段１７の角部で支持し、スカートガード１８を持ち上げて、取り外すことができる。
【００１６】
このようなエスカレータスカートガード挿入工具は、踏段裏面、追従レールまたはステップ軸などエスカレータの本体に引っ掛けて固定できる係止部材で支持されたレバーを用いることにより、小さな力でスカートガードを挿入できるし、少しずつ穴の位置のずれを見ながら微調整することができる。
【００１７】
また、係止部は、ディップ塗装膜など保護膜で被覆されているので、スカートガードの表面を傷つけない。
【００１８】
また、目印部は、係止部と同一平面内で巻回しているので、係止部の踏段裏面、追従レールまたはステップ軸などエスカレータの本体と当接している箇所に関するおおよその見当を付けることができる。また、係止部の長さはスカートガードと踏段の隙間より大きいので、挿入作業中に係止部は踏段裏面、追従レールまたはステップ軸から外れることはない。
【００１９】
実施の形態２．
図３は、この発明の実施の形態２の挿入工具の係止部材の側面図である。図３は、図１の係止部材２の支持部９と異なり、支持部２４には、所望の長さに渡って雄ねじ２５が切られ、ナット２６が、雄ねじ２５に螺合するように設けられている。
【００２０】
実施の形態１と同様に、この挿入工具の係止部材２の係止部８は、スカートガード１８と踏段１７との間の隙間に、係止部８の曲げが含まれる面をスカートガード１８に平行になるように挿入する。次に、目印部１０が示す方向をスカートガード１８に垂直になるように、係止部材２を水平方向に９０度回転し、それから係止部８の屈曲箇所８ａが踏段裏面１７ａに突き当たるまで引き上げる。次に、係止部材２のナット２６の下側面にレバ−１の上側面を当接しながら、スリット５へスカートガード１８側から踏段１７側へ押し込む。次に、段部３をスカートガード１８の上側端面１８ｃに係合する。次に、係止部材２のナット２６で支持し、力点部７を加点として上方に押し上げると、スカートガード１８は下方に押し下げられ、スカートガード１８の板ばね２３は、下部受け金具１５の立ち上がり部１５ｂへ強く押し込まれる。このように、スカートガード１８を押し下げていくと、係止部材２とレバー１とは平行に近くなるので、力点部７を押し上げることが難しくなるので、ナット２６を雄ねじ２５に沿って下方に位置を下げると、係止部材２とレバー１が垂直になり、押し上げ易くなる。
【００２１】
このようなエスカレータスカートガード挿入工具は、支点の位置を変更するときレバー１を係止部材２から外さなくても変更できる。
【００２２】
実施の形態３．
図４は、この発明の実施の形態３の挿入工具の係止部材の側面図である。図４は、図１の係止部材２の係止部８と異なり、係止部２７は、熱収縮チューブ２８で被覆されている。この挿入工具は、実施の形態１と同様な手順でスカートガード１８の挿入、固定に用いられるので説明は省略する。
【００２３】
係止部材２の係止部２７は、挿入作業に際して、踏段１７およびスカートガード１８に当たるため傷つきやすく、下地の鉄が露出することがある。このとき、被覆してある熱収縮チューブ２８を剥がして、新たに収縮チューブ２８を被覆する。
【００２４】
このような挿入工具においては、容易に係止部２７の収縮チューブを交換することができる。
【００２５】
【発明の効果】
この発明に係わるエスカレータスカートガード挿入工具の効果は、エスカレータスカートガードをエスカレータ本体のスカート受け金具に挿入するために用いるエスカレータスカートガード挿入工具であって、エスカレータ本体に係止される係止部材と、係止部材で支持されるレバーとを備え、係止部材は、レバーを支持する支持部と、エスカレータ本体に係止される係止部とを有し、レバーは、一端に設けられ、スカートガードに当接して挿入するための力を作用させる作用部と、中間部に設けられ、係止部材に支持される支点部と、他端部に設けられ、外力を加えるための力点部とを有するので、踏段裏面、追従レールまたはステップ軸などに引っ掛けて固定できる係止部材の支持部で、レバーの支点を支持でき、レバーを用いてスカートガードを小さな力で挿入できるし、少しずつ穴の位置のずれを見ながら微調整することができる。
【図面の簡単な説明】
【図１】この発明の実施の形態１のエスカレータスカートガード挿入工具のレバーの側面図および平面図と係止部材の側面図である。
【図２】図１の挿入工具を用いてエスカレータスカートガードをスカートガード受け金具に取り付ける様子を示す説明図である。
【図３】この発明の実施の形態２のエスカレータスカートガード挿入工具の係止部材の側面図である。
【図４】この発明の実施の形態３のエスカレータスカートガード挿入工具の係止部材の側面図である。
【符号の説明】
１  レバー、１ａ  先端部、１ｂ  中間部、１ｃ  他端部、２  係止部材、２ａ  端部、２ｂ  中間部、２ｃ  他端部、３  段部、４  作用部、５  スリット、６  支点部、７  力点部、８、２７  係止部、８ａ  屈曲箇所、８ｂ  直線箇所、９、２４  支点部、１０  目印部、１１  突起、１２  保護膜、１３  スカート受け金具、１４  上部受け金具、１４ａ  上面部、１４ｂ  側面部、１５  下部受け金具、１５ａ  下面部、１５ｂ  立ち上がり部、１６  下部トラスト、１７  踏段、１８  スカートガード、１８ａ  上縁部、１８ｂ  下縁部、１８ｃ上側端面、１８ｄ  下側端面、１９  穴、２０  ねじ穴、２１  パネル、２２ねじ、２３  板バネ、２５  雄ねじ、２６  ナット、２８  熱収縮チューブ。
【図１】
2004307161.tif 000003
【図２】
2004307161.tif 000004
【図３】
2004307161.tif 000005
【図４】
2004307161.tif 000006